(57)【要約】【課題】隙間塞ぎ材を備える屋根構造体において、意匠性を向上させることができる屋根構造体及び屋根構造体の施工方法を提供すること。【解決手段】屋根構造体１は、先端が躯体１０に対向して配置される屋根体４と、屋根体４の先端と躯体１０との隙間を塞ぐ隙間塞ぎ材７１と、屋根体４の先端と隙間塞ぎ材７１とを接続する接続部材７２と、を備え、接続部材７２は、屋根体４の下方側から視認されないように、屋根体４の上部に配置される。【選択図】図１１
2020084738.tif 000002
【特許請求の範囲】
【請求項１】
先端が躯体に対向して配置される屋根体と、
前記屋根体の先端と前記躯体との隙間を塞ぐ隙間塞ぎ材と、
前記屋根体の先端と前記隙間塞ぎ材とを接続する接続部材と、を備え、
前記接続部材は、前記屋根体の上部に配置される屋根構造体。
【請求項２】
前記隙間塞ぎ材の基端側には、前記接続部材が接続され、
前記接続部材は、前記屋根体の上面に固定される請求項１に記載の屋根構造体。
【請求項３】
前記接続部材は、前記屋根体の上面の先端側に設けられた引っ掛け部に係止可能な係止部を有する請求項１又は２に記載の屋根構造体。
【請求項４】
前記接続部材は、前記屋根体の先端縁が延びる方向に沿って長尺状に形成される第１部材と、前記屋根体の先端縁が延びる方向に沿って前記第１部材の長手方向に間隔をおいて複数並んで配置される複数の第２部材と、を有し、
前記接続部材は、前記第１部材と前記複数の第２部材とが前記隙間塞ぎ材の基端側の部分を挟み込んだ状態で、前記隙間塞ぎ材を固定する請求項１〜３のいずれかに記載の屋根構造体。
【請求項５】
前記第１部材と前記第２部材とは、前記第１部材及び前記第２部材を上下方向に貫通すると共に頭部が下部に配置されるネジ部材により固定され、
前記ネジ部材の頭部は、前記第１部材と前記第２部材とで前記隙間塞ぎ材を固定した状態において、前記屋根体の上方側に配置される請求項４に記載の屋根構造体。
【請求項６】
柱材と、
前記柱材に接続され前記柱材側に基端側が配置されると共に前記基端側から先端側に延びる梁と、を更に備え、
前記第２部材は、前記梁を避けた位置に配置される
請求項４又は５に記載の屋根構造体。
【請求項７】
請求項１〜６のいずれかに記載の屋根構造体の施工方法であって、
前記接続部材と前記隙間塞ぎ材とを接続する工程と、
接続された前記接続部材及び前記隙間塞ぎ材を前記屋根体の上面に固定する工程と、を含む屋根構造体の施工方法。
【発明の詳細な説明】
【技術分野】
【０００１】
本発明は、隙間塞ぎ部を有する屋根構造体及び屋根構造体の施工方法に関する。
【背景技術】
【０００２】
従来、屋根体と、屋根体と躯体との隙間を塞ぐ隙間塞ぎ材と、を備える屋根構造体が知られている（例えば、特許文献１参照）。
【先行技術文献】
【特許文献】
【０００３】
【特許文献１】特許第５９１４９０８号公報
【発明の概要】
【発明が解決しようとする課題】
【０００４】
特許文献１に記載の屋根構造体においては、屋根の下方側から視た場合に、隙間塞ぎ材と屋根体とを接続する接続部材の凹凸やネジが露出している。
そのため、隙間塞ぎ材を備える屋根構造体において、屋根構造体の下方側から視た場合の意匠性を向上させることが求められている。
【０００５】
本発明は、隙間塞ぎ材を備える屋根構造体において、意匠性を向上させることができる屋根構造体及び屋根構造体の施工方法を提供することを目的とする。
【課題を解決するための手段】
【０００６】
本発明は、先端が躯体（例えば、後述の躯体１０）に対向して配置される屋根体（例えば、後述の屋根体４）と、前記屋根体の先端と前記躯体との隙間を塞ぐ隙間塞ぎ材（例えば、後述の隙間塞ぎ材７１）と、前記屋根体の先端と前記隙間塞ぎ材とを接続する接続部材（例えば、後述の取付枠体７２）と、を備え、前記接続部材は、前記屋根体の上部に配置される屋根構造体（例えば、後述のテラス１）に関する。
【０００７】
また、前記隙間塞ぎ材の基端側には、前記接続部材が接続され、前記接続部材は、前記屋根体の上面に固定されることが好ましい。
【０００８】
また、前記接続部材は、前記屋根体の上面の先端側に設けられた引っ掛け部（例えば、後述の引っ掛け片４２３）に係止可能な係止部（例えば、後述の係止突起７４３）を有することが好ましい。
【０００９】
また、前記接続部材は、前記屋根体の先端縁が延びる方向に沿って長尺状に形成される第１部材（例えば、後述の第１取付枠７３）と、前記屋根体の先端縁が延びる方向に沿って前記第１部材の長手方向に間隔をおいて複数並んで配置される複数の第２部材（例えば、後述の第２取付枠７４）と、を有し、前記接続部材は、前記第１部材と前記複数の第２部材とが前記隙間塞ぎ材の基端側の部分を挟み込んだ状態で、前記隙間塞ぎ材を固定することが好ましい。
【００１０】
また、前記第１部材と前記第２部材とは、前記第１部材及び前記第２部材を上下方向に貫通すると共に頭部（例えば、後述のネジ頭部７４２ｂ）が下部に配置されるネジ部材（例えば、後述のネジ部材７４２ａ）により固定され、前記ネジ部材の頭部は、前記第１部材と前記第２部材とで前記隙間塞ぎ材を固定した状態において、前記屋根体の上方側に配置されることが好ましい。
【００１１】
また、柱材（例えば、後述の支柱２）と、前記柱材に接続され前記柱材側に基端側が配置されると共に前記基端側から先端側に延びる梁（例えば、後述の梁３）と、を更に備え、前記第２部材は、前記梁を避けた位置に配置されることが好ましい。
【００１２】
また、本発明は、前記屋根構造体の施工方法であって、前記接続部材と前記隙間塞ぎ材とを接続する工程と、接続された前記接続部材及び前記隙間塞ぎ材を前記屋根体の上面に固定する工程と、を含む屋根構造体の施工方法に関する。
【発明の効果】
【００１３】
本発明によれば、隙間塞ぎ材を備える屋根構造体において、意匠性を向上させることができる屋根構造体及び屋根構造体の施工方法を提供することができる。
【図面の簡単な説明】
【００１４】
【図１】本発明の一実施形態に係るテラスを斜め上方側から見た斜視図である。
【図２】本発明の一実施形態に係るテラスを斜め下方側から見た斜視図である。
【図３】本発明の一実施形態に係るテラスの平面図である。
【図４】図１におけるＡ−Ａ線断面図である。
【図５】屋根体を構成する先端側形材の梁への接続構造を示す断面図である。
【図６】屋根体を構成する中間形材の梁への接続構造を示す断面図である。
【図７】屋根体を構成する樋構成形材の梁への接続構造を示す断面図である。
【図８】クリップ部材を用いて樋構成形材を梁に固定する構造を示す図である。
【図９】クリップ部材を取り付ける方法を示す斜視図である。
【図１０】クリップ部材を用いて固定する構造の断面図であって、（ａ）は図９のＢ−Ｂ線断面図であり、（ｂ）は図９のＣ−Ｃ線断面図である。
【図１１】隙間塞ぎ材の接続構造を示す断面図である。
【図１２】隙間塞ぎ材の接続構造を示す斜視図である。
【図１３】梁に複数の長尺形材及び隙間塞ぎユニットを取り付ける状態を示す斜視図である。
【図１４】屋根体を構成する先端側形材を、梁に取り付ける状態を示す断面図である。
【図１５】隙間塞ぎユニットを先端側形材に取り付ける状態を示す断面図である。
【図１６】屋根体を構成する中間形材を、梁に取り付ける状態を示す断面図である。
【図１７】屋根体を構成する樋構成形材を、梁に取り付ける状態を示す断面図である。
【発明を実施するための形態】
【００１５】
以下、本発明の屋根構造体の一実施形態について、図面を参照しながら説明する。本実施形態においては、屋根構造体をテラス１に適用した例について説明する。なお、本実施形態においては、屋根構造体をテラス１に適用した例について説明するが、これに限定されない。例えば、屋根構造体を、テラス以外の構造物、例えば、カーポート、駐輪場、シェルター、休憩所、バス停などの構造物に適用してもよい。
【００１６】
図１は、本発明の一実施形態に係るテラス１を斜め上方側から見た斜視図である。図２は、本発明の一実施形態に係るテラス１を斜め下方側から見た斜視図である。図３は、本発明の一実施形態に係るテラス１の平面図である。図４は、図１におけるＡ−Ａ線断面図である。図５は、屋根体４を構成する先端側形材４２の梁３への接続構造を示す断面図である。図６は、屋根体４を構成する中間形材４３の梁３への接続構造を示す断面図である。図７は、屋根体４を構成する樋構成形材４４の梁３への接続構造を示す断面図である。図８は、クリップ部材５を用いて樋構成形材４４を梁３に固定する構造を示す図である。図９は、クリップ部材５を取り付ける方法を示す斜視図である。図１０は、クリップ部材５を用いて固定する構造の断面図であって、（ａ）は図９のＢ−Ｂ線断面図であり、（ｂ）は図９のＣ−Ｃ線断面図である。図１１は、隙間塞ぎ材７１の接続構造を示す断面図である。図１２は、隙間塞ぎ材７１の接続構造を示す斜視図である。
【００１７】
なお、本実施形態の説明においては、テラス１の屋根体４を構成する複数の長尺形材（長尺材）４１が延びる方向を左右方向（長尺形材４１の長手方向）ともいう。また、梁３が延びる方向を前後方向ともいい、梁３が延びる方向において、支柱２側を、テラス１の基端側ともいい、支柱２と反対側を、テラス１の先端側ともいう。
【００１８】
本実施形態のテラス１は、図１〜図３に示すように、屋根体４を前後方向の基端側（図１における左手前側及び図２における左側）において一対の支柱２で支持する、いわゆる、片持ち構造のテラスである。また、本実施形態のテラス１は、支柱２に接続された梁３の下部（下方）に、屋根体４が吊られて接続される吊構造で構成される。
また、テラス１は、屋根体４の先端が、建物壁面や建物開口を有する躯体１０から離間して、躯体１０に対向して配置される独立型のテラスである。屋根体４と躯体１０との間の隙間は、隙間塞ぎユニット７により塞がれている。
【００１９】
図１〜図３に示すように、本実施形態のテラス１は、地面１１に立設される一対の支柱２（柱材）と、支柱２の上端部から支柱に交差する方向に延びる梁３と、梁３の下部に接続される屋根体４と、隙間塞ぎユニット７と、を備える。支柱２、梁３、及び屋根体４を構成する複数の長尺形材４１は、アルミ材料の押出し形材で形成され、断面が中空状の中空部を有するホロー構造を有する。
【００２０】
一対の支柱２は、図１に示すように、テラス１の基端側（図１における左手前側）において、テラス１の左右方向に離間して配置される。
支柱２は、図１及び図４に示すように、横断面が角筒状に形成される中空状の支柱本体部２１と、支柱本体部２１の屋根体４側の側面から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
【００２１】
支柱本体部２１と支柱カバー部材２３との間には、屋根体４の屋根体側樋構成部４０（後述）から排出された水が流される。支柱本体部２１と支柱カバー部材２３との間には屋根体側樋構成部４０（後述）から排出された水が流入して水が流れるため、図４に示すように、支柱本体部２１及び支柱カバー部材２３は、支柱側樋構成部２０（柱材側樋構造）として構成される。本実施形態においては、支柱本体部２１と支柱カバー部材２３との間に雨樋用のホースなどが配置されずに、支柱本体部２１及び支柱カバー部材２３だけで、縦樋を構成する。支柱側樋構成部２０は、支柱本体部２１の屋根体４側の側面が支柱カバー部材２３に覆われるため、テラス１の外部からは視認されない。そのため、支柱２が樋の機能を備えることが外部からは視認されず、意匠性を向上できる。
【００２２】
図１及び図２に示すように、一対の支柱２における左右方向の一方側（図１における右手前側）の支柱２には、地面１１付近の下端部に、排水誘導部材６が取り付けられる。排水誘導部材６は、支柱本体部２１と支柱カバー部材２３とにより構成される支柱側樋構成部２０（後述）を流れる水を前後方向の一方側（建物と反対側）の外部へ誘導して排出する。
【００２３】
一対の梁３は、テラス１の左右方向に離間して配置される。一対の梁３は、それぞれ、前後方向に延びると共に、支柱２側に下る下り傾斜で形成される。梁３は、支柱２側に基端側が配置されると共に、基端側から先端側に延びる。一対の梁３の基端側の端部（左側の端部）は、図４に示すように、Ｌ字状の連結部材２５を介して、支柱２の上端部に接続される。一対の梁３の下部には、屋根体４が接続される。
【００２４】
一対の梁３は、図１及び図４に示すように、それぞれ、断面が角筒状に形成される梁側ホロー部３１と、延出板部３２（下部延出板）と、端部キャップ３３と、を有する。
【００２５】
梁側ホロー部３１の先端３１ａは、先端側の上端部が傾斜して切り欠かれるように、先端側から基端側（支柱２側）に向かうにしたがって上る上り傾斜で形成される。そのため、梁３の先端３１ａは、梁３の下部に屋根体４が接続された状態において、屋根体４の先端側の下方の地面１１側からは視認しにくい形状である。よって、屋根体４の先端側の下方の地面１１側からは梁３を視認しにくいため、意匠性を向上できる。また、本実施形態においては、梁３は、屋根体４の先端まで延びておらず、梁３の先端は、屋根体４の先端の位置よりも基端側（支柱２側）に位置している。これにより、屋根体４の上面の先端において、隙間塞ぎユニット７の取付枠体７２を配置するためのスペースが確保されている。
【００２６】
延出板部３２は、図３及び図４に示すように、梁側ホロー部３１の下端部から、屋根体４における左右方向の中央側（一対の梁３のうち、当該梁３とは別の梁３側）に向けて延出すると共に、前後方向に延びる板状に形成される。延出板部３２は、前後方向に並んで複数配置されるネジ部材１０１により、延出板部３２において、屋根体４に固定される。
【００２７】
屋根体４は、梁３の下方に配置される。屋根体４は、図４に示すように、屋根体４が一対の梁３の下部に吊られて配置される吊り下げ構造であって、一対の梁３の下部に取り付けられる（接続される）。屋根体４は、複数の長尺形材（長尺材）４１が、梁３が延びる方向に並んで連設されて互いが嵌合して連結されて構成される。
【００２８】
複数の長尺形材４１は、それぞれ、テラス１の左右方向（梁３が延びる方向に直交する方向）に延びており、所定の厚さを有する。複数の長尺形材４１は、それぞれ、アルミ材料の押出し形材で形成され、断面が中空状に形成される中空部を有するホロー構造を有する。屋根体４は、上面４ａ及び下面４ｂがフラット（平面状）に形成される。屋根体４は、支柱２側が下る下り傾斜に配置されており、上面４ａ及び下面４ｂは、支柱２側が下る下り傾斜に形成される。アルミ材料の押出し形材で形成された複数の長尺形材４１を連結して屋根体４を構成することで、複数の長尺形材４１を、屋根体４の面材として使用できると共に、屋根体４の強度を確保することができる。また、屋根体４を構成する複数の長尺形材４１を、中空部を有する形材で構成することで、屋根体４自体を強度部材として使用でき、屋根体４の強度を出すための部材を別に設ける必要がない。よって、屋根体４を構成する部材の部品点数を低減できる。
【００２９】
屋根体４を構成する複数の長尺形材４１は、図４に示すように、最も先端側に配置される先端側形材４２と、支柱２側の最も基端側に配置される樋構成形材４４と、先端側形材４２と樋構成形材４４との間に配置される複数の中間形材４３と、を備えて構成される。複数の長尺形材４１は、それぞれ、ネジ部材１０１により、梁３に直接固定されて接続される。詳細には、上方側から移動されたネジ部材１０１により、梁３の延出板部３２と長尺形材４１（先端側形材４２、中間形材４３）の上面板（先端側形材４２の基端側上部延出片４２７、中間形材４３の基端側上部延出片４３７）とを貫通されたネジ部材１０１が、上面板（先端側形材４２の基端側上部延出片４２７、中間形材４３の基端側上部延出片４３７）の下方に配置された裏板部材１０８に螺合されることで、長尺形材４１は、梁３に固定される。
【００３０】
先端側形材４２は、図４に示すように、梁３に接続された屋根体４の先端側に配置される。先端側形材４２は、図５に示すように、先端側に配置される第１先端ホロー部４２１と、第１先端ホロー部４２１の基端側に配置される第２先端ホロー部４２２と、第２先端ホロー部４２２の基端側に形成される基端側上部延出片４２７（固定部）と、第２先端ホロー部４２２の基端側に形成される基端側下部片４２８と、を有する。
【００３１】
第１先端ホロー部４２１の先端側の端部側の上面には、引っ掛け片４２３（引っ掛け部）が形成され、下面には、下方に突出するフィン４２４が形成される。引っ掛け片４２３は、支柱２側に開放する断面がコ字状に形成され、支柱２側に開放する。引っ掛け片４２３の開放側には、舌状部材３４（仮支持部）の板状突出部３４１が挿入される。引っ掛け片４２３は、舌状部材３４の板状突出部３４１に引っ掛けることが可能であり、屋根体４の施工時に、舌状部材３４に引っ掛けられた状態で維持可能である。
【００３２】
舌状部材３４は、梁３の先端側に固定して設けられ、屋根体４の施工時に、先端側形材４２の引っ掛け片４２３を引っ掛けることで、先端側形材４２を仮支持することが可能である。舌状部材３４は、断面形状がクランク状に形成され、先端側には、板状突出部３４１が形成される。舌状部材３４の基端側の端部３４２は、梁３の先端の下面に固定されている。
【００３３】
板状突出部３４１は、板状に形成され、梁３の先端から、屋根体４の先端側に略水平に突出する。板状突出部３４１は、屋根体４の先端の上面において、梁３の先端から、先端側形材４２の引っ掛け片４２３まで延びる。これにより、先端側形材４２を梁３に取り付ける際に、板状突出部３４１を第１先端ホロー部４２１の引っ掛け片４２３に引っ掛けることで、先端側形材４２を梁３に仮支持させることができる。舌状部材３４は屋根体４の上面に配置されるため、屋根体４の下方からは視認されず、意匠性を確保できる。
【００３４】
基端側上部延出片４２７は、第２先端ホロー部４２２における基端側（図５における左側）の上端部から前後方向の基端側に向けて延出する。基端側上部延出片４２７は、先端側形材４２の前後方向の基端側（支柱２側）の端部の上端部に配置され、ネジ部材１０２により梁３の延出板部３２に固定される固定部（ネジ固定部）を構成する。
【００３５】
基端側上部延出片４２７における屋根体４の前後方向の基端側（図５における左側）の端部には、側方に延出する側方延出壁４２７ｂと、下方に延出する下方延出壁４２７ｃと、が形成される。
【００３６】
下方延出壁４２７ｃにおける屋根体４の前後方向の基端側の面には、隣接する中間形材４３の先端側の端部に取り付けられるビード材４０１（止水材）が押圧される。ビード材４０１は、先端側形材４２と中間形材４３との連結部分に配置される止水部として機能する。ビード材４０１は、先端側形材４２及び隣接する中間形材４３（長尺形材４１）の連結部分が延びる方向、即ち、長尺形材４１の長尺方向（長手方向）に沿って延びるように形成される。
【００３７】
基端側下部片４２８は、第２先端ホロー部４２２における屋根体４の前後方向の基端側の下端部から基端側に向けて延出する。基端側下部片４２８における基端側の端部には、上方側に突出する引っ掛け係合部４２８ａ（引っ掛け部）が形成される。
【００３８】
引っ掛け係合部４２８ａは、図５に示すように、梁３に取り付けられた先端側形材４２の前後方向の基端側の端部において、先端側形材４２の下端部に形成される。引っ掛け係合部４２８ａは、梁３に取り付けられた先端側形材４２の前後方向の基端側の端部において、下端部に配置される基端側下部片４２８から上方に立ち上がると共に、立ち上がった上端部において長手方向に直交する幅方向に延びるＴ字状に形成される。
【００３９】
先端側形材４２の引っ掛け係合部４２８ａは、隣接する中間形材４３の先端側の下端部の側面から先端側に突出する先端側下部突出片４３６と、隣接する中間形材４３の先端側の端部に形成される引っ掛け延出片４３５の引っ掛け片４３５ｂ（後述）と、に係合可能である。引っ掛け係合部４２８ａは、引っ掛け延出片４３５の引っ掛け片４３５ｂに引っ掛けられた状態で維持可能である。
【００４０】
基端側下部片４２８の上面には、隣接する中間形材４３における中段樋構成部４１０（止水部）から溢れた水が流通する。基端側下部片４２８の上面は、屋根体４の内部において、上下方向の下段に位置する下段樋構成部４２０を構成する。下段樋構成部４２０は、水を流す樋機能を有する。下段樋構成部４２０は、ビード材４０１を通過して中段樋構成部４１０に受け止められて中段樋構成部４１０（止水部）から溢れた水を受け止める。下段樋構成部４２０は、中段樋構成部４１０から溢れて受け止めた水を左右方向の両端部側に流通させる。
【００４１】
中間形材４３は、図４に示すように、先端側形材４２と樋構成形材４４との間に複数並んで配置される。中間形材４３は、図６に示すように、先端側に配置される第１中間ホロー部４３１と、第１中間ホロー部４３１の基端側に配置される第２中間ホロー部４３２と、第１中間ホロー部４３１における先端側の上端部の側面に形成されるビード材取付凹部４３３と、第１中間ホロー部４３１の先端側の側面から先端側に延在するＬ字状の中段樋部４３４と、中段樋部４３４の先端側の端部の下端部から下方に延びるＬ字状の引っ掛け延出片４３５と、第１中間ホロー部４３１における先端側形材４２側の下端部の側面から先端側に突出する先端側下部突出片４３６と、第２中間ホロー部４３２の基端側に形成される基端側上部延出片４３７と、第２中間ホロー部４３２の基端側に形成される基端側下部片４３８と、を有する。
【００４２】
中間形材４３の先端側の端部の下方側には、図６に示すように、下方に開口（開放）する開口部４３９が形成される。開口部４３９は、中段樋部４３４における第１中間ホロー部４３１の一方側に配置される上下方向に延びる端辺４３１ａと、Ｌ字状の引っ掛け延出片４３５とにより形成される。開口部４３９の開口縁には、開口部４３９の開口縁から開口部４３９の内側に互いに対向して突出する対向突出部４３９ａが形成される。本実施形態においては、対向突出部４３９ａは、先端側下部突出片４３６と、Ｌ字状の引っ掛け延出片４３５の引っ掛け片４３５ｂ（後述）と、により構成され、互いが近づくように、開口部４３９の内側に向けて突出して延びる。
【００４３】
以上のように構成される先端側形材４２及び中間形材４３においては、隣接する先端側形材４２及び中間形材４３が連結した状態において、先端側形材４２の引っ掛け係合部４２８ａは、隣接する中間形材４３の開口部４３９の内部に配置された状態で、上下方向の移動を規制するように、対向突出部４３９ａ（先端側下部突出片４３６、Ｌ字状の引っ掛け延出片４３５の引っ掛け片４３５ｂ）に引っ掛かって嵌合する。
【００４４】
ビード材取付凹部４３３は、先端側に隣接する先端側形材４２の下方延出壁４２７ｃに対向して配置される。ビード材取付凹部４３３の上面４３３ａは、屋根体４の上面４ａから一段下がった位置に形成される。ビード材取付凹部４３３は、隣接する長尺形材４１の連結部分が延びる方向、即ち、長尺形材４１の長尺方向（長手方向）に沿って延びる。
【００４５】
ビード材取付凹部４３３には、ビード材４０１が取り付けられる。ビード材４０１は、ビード材取付凹部４３３に取り付けられた状態で、先端側に隣接する先端側形材４２の下方延出壁４２７ｃを押圧する。ビード材４０１は、先端側形材４２と中間形材４３との連結部分に配置され、止水部として機能する。
【００４６】
中段樋部４３４は、底壁部４３４ａと、立設片４３４ｂと、を有する。中段樋部４３４は、屋根体４の内部において、上下方向の中段に位置する中段樋構成部４１０を構成する。中段樋構成部４１０は、水を流す樋機能を有すると共に、止水部として機能する。中段樋構成部４１０は、ビード材４０１で止水できなかったビード材４０１を通過した水を受け止めて、受け止めた水を左右方向の両端部側に流通させる。
【００４７】
Ｌ字状の引っ掛け延出片４３５は、下方延出片４３５ａと、下方延出片４３５ａの下端部から中間形材４３の幅方向中央部に向かう引っ掛け片４３５ｂと、を有する。引っ掛け片４３５ｂは、隣接する先端側形材４２の前後方向の基端側の端部に形成される引っ掛け係合部４２８ａに係合可能である。引っ掛け片４３５ｂは、引っ掛け係合部４２８ａに係合した状態で、引っ掛け係合部４２８ａを中心に回転可能である。
【００４８】
先端側形材４２の隣りに、隣接する中間形材４３を取り付ける場合には、梁３の延出板部３２が接続された先端側形材４２の引っ掛け係合部４２８ａに、中間形材４３の引っ掛け延出片４３５を引っ掛けることで、梁３の下方において、中間形材４３を仮置きできる。また、先端側形材４２の引っ掛け係合部４２８ａに中間形材４３の引っ掛け延出片４３５を引っ掛けた状態で、引っ掛け延出片４３５の先端を中心に中間形材４３を回転することで、中間形材４３を取り付け位置に配置できる。
中間形材４３を取り付け位置に配置した状態においては、先端側形材４２における前後方向の基端側には、先端側形材４２の引っ掛け係合部４２８ａに中間形材４３の引っ掛け延出片４３５が嵌合した状態で、中間形材４３が取り付けられる。
【００４９】
中間形材４３の基端側上部延出片４３７及び基端側下部片４３８について、説明しない点については、先端側形材４２の基端側上部延出片４２７及び基端側下部片４２８の構造と同様である。そのため、中間形材４３の基端側上部延出片４３７及び基端側下部片４３８の構造で説明した符号に対応する符号を付して、その説明を省略する。
【００５０】
また、連続して配置される複数の中間形材４３の構成は全て同様の構成であるため、その説明を省略する。梁３に接続した中間形材４３の隣りに、隣接する中間形材４３を取り付ける場合には、先端側形材４２の隣りに中間形材４３を取り付ける場合と同様に、梁３の延出板部３２に接続された中間形材４３の引っ掛け係合部４３８ａに、中間形材４３の引っ掛け延出片４３５を引っ掛けることで、梁３の下方において、中間形材４３を仮置きできる。また、中間形材４３の引っ掛け係合部４３８ａに中間形材４３の引っ掛け延出片４３５を引っ掛けた状態で、引っ掛け延出片４３５を中心に中間形材４３を回転することで、中間形材４３を取り付け位置に配置できる。隣接する中間形材４３を取り付け位置に配置した状態においては、中間形材４３における前後方向の基端側には、中間形材４３の引っ掛け係合部４３８ａに、隣接する中間形材４３の引っ掛け延出片４３５が嵌合した状態で、隣接する中間形材４３が取り付けられる。
【００５１】
樋構成形材４４は、屋根体４において、複数の長尺形材４１が並ぶ方向の基端側（支柱２側）の端部に並列に配置され、図７に示すように、上部側が上方側に向けて開口する長尺形材により形成される。本実施形態においては、樋構成形材４４は、中空部を有さないソリッド材により形成され、上部側が開口する断面Ｕ字形状に形成される。なお、樋構成形材４４は、これに限定されず、中空部を有するホロー構造のアルミ材料の長尺形材の上面が切り欠かれることで上部側が開口する形状に形成されていてもよい。
【００５２】
樋構成形材４４は、屋根体４の支柱２側の最も基端側の端部において、屋根体４の上面４ａを基端側に流れて基端側の端部に達した水を受け止めて流通させる屋根体側樋構成部４０を構成する。屋根体側樋構成部４０は、屋根体４の上面４ａを流れる水の下流側の端部に配置される。本実施形態においては、屋根体側樋構成部４０は、屋根体４における下り傾斜の端部であって、屋根体４における基端側の支柱２側の端部に配置されている。
【００５３】
屋根体側樋構成部４０は、上部側が開口しているため、屋根体側樋構成部４０を屋根体４の下方から見た場合に、長尺形材４１のフラットな（平面状の）下面が見えるだけで、屋根体４の上面４ａ側に樋が存在することを認識させずに樋を構成でき、意匠性を向上できる。
【００５４】
樋構成形材４４は、図７に示すように、先端側の端部の構成が、中間形材４３の先端側の端部の構成と同様であるため、先端側の端部の構成については、対応する符号を付して、その説明を省略する。また、梁３に接続した中間形材４３の隣に、隣接する樋構成形材４４を取り付ける場合は、中間形材４３を先端側形材４２の隣りに取り付ける場合と同様である。
【００５５】
樋構成形材４４の先端側の端部以外の構成について詳細に説明する。
樋構成形材４４は、樋構成部４４１を有する。樋構成部４４１は、上方が開放する略Ｕ字形状の樋構成部本体４４２と、基端側に配置される基端側上部内方延出片４５１（上面板）と、先端側に配置される先端側上部内方延出片４５２と、基端側に配置される水切りフィン４５３と、基端側に配置される基端側上部壁４５４と、を有する。
【００５６】
樋構成部本体４４２は、屋根体４の上面４ａにおいて支柱２側に流された水を、上方の開放された部分から導入して受け止める。第２先端ホロー部４２２の側面には、導出開口４４２ａ（排水口）が形成される。
【００５７】
導出開口４４２ａは、図７に示すように、前後方向の基端側の一方の支柱２（図１に示す右手前側の支柱２）が配置される部分において、樋構成部本体４４２の側面を支柱２側の側方に貫通して形成される。導出開口４４２ａには、Ｌ字状の誘導部材４７の側部開口部４７１（後述）が接続される。
【００５８】
誘導部材４７は、屋根体側樋構成部４０に流れ込んで滞留した水を、支柱側樋構成部２０に誘導する。誘導部材４７は、支柱側樋構成部２０側に下る斜め下方に傾斜した筒状に形成され、側部開口部４７１と、下端開口部４７２と、を有する。誘導部材４７は、一方側の側部開口部４７１が樋構成部本体４４２（屋根体側樋構成部４０）の側面に形成された導出開口４４２ａに接続されると共に、他方側の下端開口部４７２が支柱本体部２１と支柱カバー部材２３との間に挿入されて、支柱側樋構成部２０の内部に開口される。
【００５９】
基端側上部内方延出片４５１は、図７に示すように、樋構成形材４４の基端部側において、樋構成形材４４の上方側の内面から内方側に突出する。基端側上部内方延出片４５１には、ネジ部材４５１ａにより、誘導部材４７が固定される。
【００６０】
図８〜図１０に示すように、樋構成形材４４の幅方向の支柱２側の端部に形成される基端側上部内方延出片４５１は、クリップ部材５（挟み部材）により、梁３の延出板部３２の長手方向の支柱２側の端部に固定されている。
クリップ部材５は、側面視コ字状であり、断面においてコ字状の部分を含んで構成される。クリップ部材５は、梁３の延出板部３２の長手方向の支柱２側の端部と樋構成形材４４の基端側上部内方延出片４５１とを上下方向において挟む。梁３の基端側の端部において、樋構成形材４４の基端側上部内方延出片４５１の上方には、梁３の延出板部３２の基端側の端部が重なって配置される。
【００６１】
クリップ部材５は、図８及び図９に示すように、上側板５１（上側板部）と、受け板５２（受け板部）と、側面板５３と、を有する。クリップ部材５は、受け板５２において、樋構成形材４４の基端側上部内方延出片４５１の下面を受けると共に、上側板５１において、梁３の延出板部３２の上面に配置される。これにより、クリップ部材５は、受け板５２と上側板５１との間に、樋構成形材４４の基端側上部内方延出片４５１と梁３の延出板部３２とを挟んで保持する。
【００６２】
上側板５１及び受け板５２は、上方から視た場合に、Ｌ字状に形成され、Ｌ字の角部において上下方向において重なって配置され、上側板５１の先端側が、梁３の延出板部３２の上面に配置され、受け板５２の先端側が、樋構成形材４４の基端側上部内方延出片４５１と梁３の延出板部３２とが重なった部分の下方に配置される。
【００６３】
側面板５３は、上側板５１及び受け板５２の左右方向の梁３の延出板部３２の幅方向の一端部を上下方向に接続する板状に形成される。側面板５３は、上下方向に幅を有して梁３が延びる方向に延びる板状に形成される。図９に示すように、上側板５１と受け板５２とが重なった部分において、上側板５１と受け板５２との間には、梁３の延出板部３２側に開放する開放空間Ｋが形成される。
【００６４】
上側板５１は、図８に示すように、梁３の延出板部３２の上面に配置され、梁３の延出板部３２の幅方向の全域に亘って延びる。上側板５１は、所定の厚みを有した板状に形成される。上側板５１は厚みを有するため、先端側の側面５１ａにおいて、梁３の延出板部３２を先端側から基端側に向けて流れる水を堰き止めて、樋構成形材４４の屋根体側樋構成部４０側に誘導できる。
【００６５】
受け板５２は、支柱２側の部分が、樋構成形材４４の基端側上部内方延出片４５１と梁３の延出板部３２とが重なった部分の下方に配置され、先端側の部分が、梁３の延出板部３２の下方に配置される。これにより、受け板５２は、樋構成形材４４の基端側上部内方延出片４５１と梁３の延出板部３２とに重なった状態で、樋構成形材４４の基端側上部内方延出片４５１と梁３の延出板部３２とを下側から受ける。樋構成形材４４の基端側上部内方延出片４５１は、受け板５２により受けられるため、固定強度が向上する。
また、受け板５２は、上下において、支柱２と反対側の部分が、上側板５１に重なっており、支柱２側の部分が、上側板５１に重なっていない。受け板５２における上側板５１に重なっていない支柱２側の部分には、ネジ孔５２１が形成されている。ここで、上側板５１と受け板５２のネジ孔５２１とは、上下に重なっていない。ネジ孔５２１には、ネジ部材５４の先端がねじ込まれて固定されている。
【００６６】
クリップ部材５を用いて、梁３に樋構成形材４４を固定する場合には、クリップ部材５の角部に形成される開放空間Ｋに、梁３の延出板部３２が挿入されるように、かつ、受け板５２の支柱２側の部分を、樋構成形材４４の基端側上部内方延出片４５１と梁３の延出板部３２との重なった部分の下方に挿入するように、クリップ部材５を移動させる。
この状態においては、図１０に示すように、クリップ部材５は、受け板５２と上側板５１との間に、樋構成形材４４の基端側上部内方延出片４５１と梁３の延出板部３２とを挟み込んでいる。そのため、施工時に手を離した状態で、ネジ部材５４により、梁３の延出板部３２、樋構成形材４４の基端側上部内方延出片４５１、及び、クリップ部材５の受け板５２を共締めすることで、樋構成形材４４を梁３に固定できる。この場合、ネジ部材５４の先端を、受け板５２のネジ孔５２１にねじ込んで固定できる。これにより、受け板５２は、ネジ孔５２１においてネジ部材５４の先端を固定でき、裏板として機能する。
【００６７】
また、屋根体４の左右方向の両端部には、図１に示すように、一対の屋根体側部カバー部材８が取り付けられている。一対の屋根体側部カバー部材８は、長尺形材４１の左右方向の両端部において、前後方向に延びて配置される。一対の屋根体側部カバー部材８は、屋根体４の左右方向の両端部において、長尺形材４１の側部を覆うように配置される。一対の屋根体側部カバー部材８は、それぞれ、支柱２側が下る下り傾斜で、屋根体４の傾斜方向に沿って延びる。
【００６８】
隙間塞ぎユニット７について説明する。
本実施形態のテラス１は、風圧や積雪などによる荷重を受けた場合に、支柱２の振動や撓みがあっても、屋根体４が躯体１０に荷重を掛けないように、独立型で構成される。そのため、屋根体４の先端と躯体１０との間には、隙間を設けている。本実施形態においては、屋根体４の先端と躯体１０との間の隙間を塞ぐように、隙間塞ぎユニット７を配置している。
【００６９】
隙間塞ぎユニット７は、図１に示すように、屋根体４の先端に接続され、屋根体４の左右方向に延びる。隙間塞ぎユニット７は、図１１及び図１２に示すように、隙間塞ぎ材７１と、取付枠体７２（接続部材）と、を備える。本実施形態においては、隙間塞ぎ材７１及び取付枠体７２は、隙間塞ぎユニット７としてユニット化されており、隙間塞ぎユニット７として組み立てた後に、屋根体４に取り付けられる。
【００７０】
隙間塞ぎ材７１は、図４に示すように、屋根体４の先端と躯体１０との隙間を塞ぐように配置されている。隙間塞ぎ材７１は、例えば、ゴムや軟質合成樹脂等の高弾性収縮性の材質で形成されている。隙間塞ぎ材７１は、基端側が、取付枠体７２を介して、屋根体４の先端に取り付けられ、先端側が、撓んだ状態で躯体１０に接触して配置されている。
【００７１】
隙間塞ぎ材７１は、躯体１０側に上り傾斜で延びており、図１１及び図１２に示すように、先端側に形成される舌状先端７１１と、基端側に形成される水切突片７１２と、を有する。隙間塞ぎ材７１における基端側の端部の下面には、Ｌ字状係合部７１３と、Ｔ字状嵌合部７１４とが形成されている。Ｔ字状嵌合部７１４及びＬ字状係合部７１３は、水切突片７１２側（基端側）から先端側に向かってこの順に配置されている。隙間塞ぎ材７１の基端側の端部の下面に配置されるＴ字状嵌合部７１４及びＬ字状係合部７１３には、取付枠体７２が接続される。
【００７２】
取付枠体７２には、隙間塞ぎ材７１が取り付けられており、隙間塞ぎ材７１が取り付けられた取付枠体７２は、屋根体４の先端の上面に固定される。取付枠体７２は、屋根体４の先端と隙間塞ぎ材７１とを接続する。
【００７３】
取付枠体７２は、屋根体４の上部に配置されて、屋根体４の上面に固定される。取付枠体７２は、第１取付枠７３（第１部材）と、複数の第２取付枠７４（第２部材）と、を有する。取付枠体７２は、屋根体４の上部に配置されるため、屋根体４の下方側から視認されにくい。
【００７４】
第１取付枠７３は、図３及び図１２に示すように、屋根体４の先端縁が延びる左右方向に沿って長尺状に形成される。第１取付枠７３は、例えば、アルミ材料の押出し形材で形成される。第１取付枠７３の両端部は、隙間塞ぎ材７１の左右方向の両端部よりも内側に位置する。これにより、第１取付枠７３は、屋根体４の左右方向の両端部において、屋根体４の下方側から視認されにくい。
【００７５】
第１取付枠７３は、図１１に示すように、隙間塞ぎ材７１の基端側の端部の下方において、隙間塞ぎ材７１の基端側の端部の下面に配置されるＴ字状嵌合部７１４に取り付けられる。第１取付枠７３は、断面Ｃ字状の嵌合溝枠７３１と、嵌合溝枠７３１の下部に形成される下方開放枠７３２と、嵌合溝枠７３１及び下方開放枠７３２の先端側の側面から先端側に延出する延出片７３３と、を有する。
【００７６】
嵌合溝枠７３１には、隙間塞ぎ材７１のＴ字状嵌合部７１４が嵌合する。嵌合溝枠７３１に嵌合されたＴ字状嵌合部７１４は、ネジ部材７１５により、図３に示すように、屋根体４の左右方向における中央側の１箇所において、図１１に示すように、嵌合溝枠７３１の下板７３１ａに固定される。ネジ部材７１５は、下方側から上方側に移動されることで、下方開放枠７３２側からねじ込まれる。ネジ部材７１５のネジ頭部７１５ａは、嵌合溝枠７３１の下板７３１ａの下面に配置されており、第１取付枠７３が屋根体４の上面に配置されるため、外部に露出せずに、外部から視認されにくく、意匠性を向上できる。
【００７７】
下方開放枠７３２は、嵌合溝枠７３１の下部において下方に開放して形成される。下方開放枠７３２の上板７３２ａと、嵌合溝枠７３１の下板７３１ａとは、共通の部材である。下方開放枠７３２の基端側の下端部には、先端側に突出する突出片７３２ｂが形成される。突出片７３２ｂは、後述する第２取付枠７４の屈曲係止部７４１ｂに係止される。
【００７８】
延出片７３３は、先端側に突出する。延出片７３３は、後述する第２取付枠７４に固定される。
【００７９】
複数の第２取付枠７４は、図３及び図１２に示すように、屋根体４の先端縁が延びる左右方向に沿って、第１取付枠７３の長手方向に間隔をおいて複数並んで配置される。第２取付枠７４は、例えば、アルミ材料で形成される。複数の第２取付枠７４は、互いの間隔を調整して取り付けることが可能である。例えば、隙間塞ぎユニット７を設置する現場において、他の部材と干渉する場合に、複数の第２取付枠７４を移動して設置することができるため、第２取付枠７４の配置の自由度が向上して、現場での対応力を向上できる。本実施形態においては、複数の第２取付枠７４は、梁３が配置された部分を避けた位置に配置されていると共に、梁３に接続された舌状部材３４の板状突出部３４１が配置された部分も避けた位置に配置されている。
【００８０】
第２取付枠７４は、図１１に示すように、隙間塞ぎ材７１の基端側の端部の下方に取り付けられた第１取付枠７３に取り付けられると共に、隙間塞ぎ材７１の下面に配置される隙間塞ぎ材７１のＬ字状係合部７１３に取り付けられる。
第２取付枠７４は、図１１に示すように、底面板７４１と、Ｌ字状立ち上がり片７４２と、戻り引っ掛け片７４４と、を有する。
【００８１】
底面板７４１は、隙間塞ぎ材７１の基端側において、屋根体４の上面に沿って配置され、Ｔ字状嵌合部７１４よりも先端側から、水切突片７１２よりも基端側まで延びる。延出片７３３の基端側の端部は、ネジ部材７４１ａにより、屋根体４の上面に固定される。
【００８２】
底面板７４１の上面には、屈曲係止部７４１ｂが形成される。屈曲係止部７４１ｂは、屋根体４の上面から上方に立ち上がり、上端において基端側に屈曲し、基端側に延びる。屈曲係止部７４１ｂには、第１取付枠７３の下方開放枠７３２の突出片７３２ｂが係止される。
【００８３】
Ｌ字状立ち上がり片７４２は、底面板７４１の先端に接続され、上方に立ち上がり、上端において先端側に屈曲し、先端側に延びる。Ｌ字状立ち上がり片７４２の上板は、ネジ部材７４２ａにより第１取付枠７３の延出片７３３に固定される。ネジ部材７４２ａは、下方側から上方側に移動されることで、Ｌ字状立ち上がり片７４２の下側からねじ込まれる。このように、第１取付枠７３と複数の第２取付枠７４とは、第１取付枠７３及び複数の第２取付枠７４を上下方向に貫通するネジ部材７４２ａにより、ネジ頭部７４２ｂが下部に配置された状態で固定される。ネジ部材７４２ａのネジ頭部７４２ｂは、第１取付枠７３と複数の第２取付枠７４とで隙間塞ぎ材７１を固定した状態において、屋根体４の上方側に配置される。これにより、ネジ部材７４２ａは、外部に露出せずに、外部から視認されにくく、意匠性を向上できる。
【００８４】
Ｌ字状立ち上がり片７４２の立ち上がり部分の下方側の先端側の側面には、先端側に突出する係止突起７４３（係止部）が形成される。係止突起７４３は、基端側に開放する先端側形材４２の引っ掛け片４２３に係止される。これにより、取付枠体７２を屋根体４の上面に固定する際に、引っ掛け片４２３に係止突起７４３を係止させることで、先端側形材４２に対して上下方向の位置決めを行うことができると共に、ガタツキを防止することができる。
【００８５】
戻り引っ掛け片７４４は、Ｌ字状立ち上がり片７４２の先端から基端側に戻るフック状に形成される。戻り引っ掛け片７４４は、Ｌ字状立ち上がり片７４２の先端から先端側に上り傾斜で延び、上端において基端側に屈曲し、基端側に延びる。戻り引っ掛け片７４４には、隙間塞ぎ材７１のＬ字状係合部７１３が係合する。
【００８６】
以上のように構成される取付枠体７２は、第１取付枠７３と複数の第２取付枠７４とが隙間塞ぎ材７１の基端側の部分を挟み込んだ状態で、隙間塞ぎ材７１を固定する。
【００８７】
次に、本実施形態のテラス１の施工方法について、図１３〜図１７、図９、図１２を参照しながら説明する。図１３は、梁３に複数の長尺形材４１及び隙間塞ぎユニット７を取り付ける状態を示す斜視図である。図１４は、屋根体４を構成する先端側形材４２を、梁３に取り付ける状態を示す断面図である。図１５は、隙間塞ぎユニット７を先端側形材４２に取り付ける状態を示す断面図である。図１６は、屋根体４を構成する中間形材４３を、梁３に取り付ける状態を示す断面図である。図１７は、屋根体４を構成する樋構成形材４４を、梁３に取り付ける状態を示す断面図である。
【００８８】
ここでは、支柱２に梁３を接続した状態で、梁３の下部に屋根体４を取り付ける場合について主に説明する。具体的には、図１３に示すように、梁３の延出板部３２の下面に、複数の長尺形材４１を、梁３の先端側から基端側に向けて順に設置する。
【００８９】
詳細には、まず、図１４に示すように、作業者は、屋根体４の最も先端側において、梁３の延出板部３２の下面に、先端側形材４２を取り付ける。
【００９０】
図１４に示すように、先端側形材４２を梁３に取り付ける場合には、作業者は、先端側形材４２の引っ掛け片４２３を梁３の先端側に設けられた舌状部材３４の板状突出部３４１に引っ掛けることで、先端側形材４２の先端側の端部（支柱２から遠位の端部）を、舌状部材３４の板状突出部３４１に仮支持させて保持させる（仮支持させる工程、保持段階）。
【００９１】
これにより、作業者は先端側形材４２から手を一旦離すことができるため、一人の作業者でも作業を行うことができ、先端側形材４２を梁３に取り付ける際の作業性を向上できる。先端側形材４２の先端側の端部（支柱２から遠位の端部）を舌状部材３４の板状突出部３４１に仮支持させて保持させた状態で、作業者は、先端側形材４２の基端側の端部（支柱２に近位の端部）を梁３側に移動させる（移動させる工程、移動段階）。そして、この状態で、先端側形材４２の基端側の端部（支柱２に近位の端部）を、ネジ部材１０２、１０５により、梁３の延出板部３２に固定する（固定する工程、固定段階）。
先端側形材４２の基端側上部延出片４２７においては、上方側から移動されたネジ部材１０２により、梁３の延出板部３２と先端側形材４２の基端側上部延出片４２７とを貫通されたネジ部材１０２が、先端側形材４２の基端側上部延出片４２７の下方に配置された裏板部材１０８に螺合されることで、先端側形材４２は、梁３に固定される。
【００９２】
従来、屋根体の先端を建物壁面（躯体）に対向させて施工する場合には、梁の基端側から先端側に向けて複数の長尺材を順次固定する施工方法を用いると、梁の先端側において、既に施工した長尺材と躯体との間に作業者が入る隙間がなく、屋根体を施工することが困難であった。
【００９３】
これに対して、本発明では、屋根体４の施工時に、先端側形材４２を仮支持できるため、複数の長尺形材４１を梁３の先端側から基端側に向けて取り付けることができる。これにより、梁３の先端側に躯体１０があっても躯体１０が邪魔になりにくく、屋根体４を容易に施工できる。また、舌状部材３４に引っ掛け片４２３を引っ掛けることで、先端側形材４２を仮支持できるため、作業者は一人で容易にテラス１を組み立てることができる。
【００９４】
続けて、作業者は、先端側形材４２と取り付けた後であって隣接する中間形材４３を取り付ける前に、隙間塞ぎユニット７を屋根体４の先端側の先端側形材４２の上面に取り付ける。中間形材４３を取り付けた後に隙間塞ぎユニット７を取り付けようとすると、取り付けた中間形材４３が隙間塞ぎユニット７を取り付ける作業の邪魔になって、隙間塞ぎユニット７を屋根体４に取り付けにくいためである。
なお、本実施形態においては、隙間塞ぎユニット７を、先端側形材４２を取り付けた後であって隣接する中間形材４３を取り付ける前に設置したが、これに限定されず、隙間塞ぎユニット７を取り付ける作業の邪魔にならない範囲の枚数の中間形材４３を取り付けた後に、隙間塞ぎユニット７を設置してもよい。
【００９５】
隙間塞ぎユニット７を屋根体４に取り付ける場合に、図１２に示すように、隙間塞ぎ材７１と、取付枠体７２（第１取付枠７３と、複数の第２取付枠７４）とを接続して予め組み立てて（接続する工程）、隙間塞ぎユニット７を予めユニット化させて組み立てておく。そして、図１５に示すように、組み立てておいた隙間塞ぎユニット７を、係止突起７４３を先端側形材４２の引っ掛け片４２３に係止させた状態で、屋根体４の上面に配置する。この状態で、複数のネジ部材７４１ａにより、複数の第２取付枠７４を屋根体４の上面に固定する（固定する工程）ことで、隙間塞ぎユニット７を屋根体４の上面に取り付けることができる。ここで、隙間塞ぎ材７１及び取付枠体７２（第１取付枠７３と、複数の第２取付枠７４）を組み立てる際に使用したネジ部材７１５及びネジ部材７４２ａは、下側から取り付けられており、隙間塞ぎユニット７を屋根体４の上面に配置する場合に、下方側から視認されにくい。
【００９６】
続けて、作業者は、図１６に示すように、先端側に取り付けた先端側形材４２の基端側の隣りに中間形材４３を取り付ける。
図１６に示すように、先端側形材４２の基端側の隣りに、中間形材４３を梁３に取り付ける場合には、作業者は、梁３に取り付けられた先端側形材４２の引っ掛け係合部４２８ａに、中間形材４３の引っ掛け延出片４３５の戻り引っ掛け片４３５ｂを引っ掛けることで、梁３の下方において、中間形材４３を仮置きする。これにより、作業者は中間形材４３から手を一旦離すことができるため、一人の作業者でも作業を行うことができ、中間形材４３を梁３に取り付ける際の作業性を向上できる。
【００９７】
その後、先端側形材４２の引っ掛け係合部４２８ａに中間形材４３の引っ掛け延出片４３５を引っ掛けた状態で、引っ掛け延出片４３５の戻り引っ掛け片４３５ｂ（及び引っ掛け係合部４２８ａ）を中心に中間形材４３を回転することで、中間形材４３を取り付け位置に配置する（配置工程）。これにより、中間形材４３を仮置きの状態から取り付け位置に容易に移動できるため、中間形材４３を梁３に取り付ける際の作業性を向上できる。また、引っ掛け係合部４２８ａに戻り引っ掛け片４３５ｂを引っ掛けて回転するだけで、長尺形材４１を、梁３への取り付け位置に配置できる。これにより、屋根体４を施工する施工性を向上できる。
【００９８】
次に、作業者は、中間形材４３を、梁３の延出板部３２に、ネジ部材１０２で固定する。中間形材４３の基端側上部延出片４３７においては、上方側から移動されたネジ部材１０２により、梁３の延出板部３２と中間形材４３の基端側上部延出片４３７とを貫通されたネジ部材１０２が、中間形材４３の基端側上部延出片４３７の下方に配置された裏板部材１０８に螺合されることで、先端側形材４２は、梁３に固定される。
ここで、中間形材４３の基端側は、ネジ部材で固定しなくても、先端側形材４２の引っ掛け係合部４２８ａに中間形材４３の引っ掛け延出片４３５が引っ掛けた状態で係合している。そのため、中間形材４３の基端側のみを、ネジ部材１０２で固定すれば、中間形材４３を梁３に固定できる。これにより、先端側形材４２を梁３に取り付ける際の作業性を向上できる。
【００９９】
続けて、梁３に取り付けた中間形材４３の基端側の隣りにおいて、複数の中間形材４３を、屋根体４の先端側から、基端側に向けて順に連続して取り付ける。具体的には、複数の中間形材４３を、それぞれ、屋根体４の基端側から順に、仮置きして、回転させ、ネジ部材１０１による固定することを繰り返す。これらの方法は、上述した先端側形材４２の隣りに中間形材４３を取り付ける場合と同様であるため、説明を省略する。
【０１００】
次に、複数の中間形材４３を梁３に取り付けた後に、図１７に示すように、屋根体４の基端側において、中間形材４３の隣りに樋構成形材４４を取り付ける。樋構成形材４４を取り付ける場合には、中間形材４３の引っ掛け係合部４３８ａに樋構成形材４４の引っ掛け延出片４４５を引っ掛けた状態で、引っ掛け延出片４４５の戻り引っ掛け片４４５ｂ（及び引っ掛け係合部４２８ａ）を中心に樋構成形材４４を回転することで、樋構成形材４４を取り付け位置に配置する（配置工程）。
【０１０１】
樋構成形材４４を取り付け位置に配置した後に、図９に示すように、クリップ部材５を用いて、梁３の延出板部３２に樋構成形材４４を固定する。クリップ部材５を用いて、梁３に樋構成形材４４を固定する場合には、クリップ部材５の角部に形成される開放空間Ｋに、梁３の延出板部３２が挿入されるように、かつ、受け板５２の支柱２側の部分を、樋構成形材４４の基端側上部内方延出片４５１と梁３の延出板部３２との重なった部分の下方に挿入するように、クリップ部材５を移動させる。
【０１０２】
この状態においては、クリップ部材５は、受け板５２と上側板５１との間に、樋構成形材４４の基端側上部内方延出片４５１と梁３の延出板部３２とを挟み込んで保持する（保持する工程）。そして、ネジ部材５４を上下方向に貫通させて、梁３の延出板部３２、樋構成形材４４の基端側上部内方延出片４５１及びクリップ部材５の受け板５２を共締めすることで、樋構成形材４４の基端側を梁３に固定する（固定する工程）。
ここで、樋構成形材４４は、中空部を有さないソリッド材により形成され、上部側が開口しているため、施工時に、長尺形材４１や長尺形材４１のパッキン等の圧力により開いてしまい、ネジ孔の孔位置を合わせるのが難しかった。これに対して、クリップ部材５を使用して仮留めすることで、ネジ孔の孔位置を合わせやすいため、樋構成形材４４を梁３に取り付ける際の作業性を向上できる。
また、クリップ部材５を使用することにより、作業者は樋構成形材４４から手を離すことができるため、一人の作業者でも作業を行うことができ、樋構成形材４４を梁３に取り付ける際の作業性を向上できる。また、ネジ部材５４により、梁３の延出板部３２、樋構成形材４４の基端側上部内方延出片４５１及びクリップ部材５の受け板５２を共締めして固定しているため、取り付け強度を向上できる。
【０１０３】
以上説明した本実施形態のテラス１によれば、以下のような効果を奏する。
本実施形態のテラス１は、先端が躯体１０に対向して配置される屋根体４と、屋根体４の先端と躯体１０との隙間を塞ぐ隙間塞ぎ材７１と、屋根体４の先端と隙間塞ぎ材７１とを接続する取付枠体７２と、を備え、取付枠体７２は、屋根体４の上部に配置される。そのため、取付枠体７２は、屋根体４の下方側から視認されにくい。これにより、隙間塞ぎ材７１を備えるテラス１において、意匠性を向上させることができる。
【０１０４】
また、本実施形態においては、隙間塞ぎ材７１の基端側には、取付枠体７２が接続され、取付枠体７２は、屋根体４の上面に固定される。これにより、取付枠体７２を屋根体４の上面に固定する簡易な構成で、取付枠体７２が屋根体４の下方側から視認されにくいという効果を実現できる。
【０１０５】
また、本実施形態においては、取付枠体７２は、屋根体４の上面の先端側に設けられた引っ掛け片４２３に係止可能な係止突起７４３を有する。これにより、取付枠体７２を屋根体４の上面に固定する際に、引っ掛け片４２３に係止突起７４３が係止することで、先端側形材４２に対して上下方向の位置決めを行うことができると共に、ガタツキを防止することができる。
【０１０６】
また、本実施形態においては、取付枠体７２は、屋根体４の先端縁が延びる方向に沿って長尺状に形成される第１取付枠７３と、屋根体４の先端縁が延びる方向に沿って第１取付枠７３の長手方向に間隔をおいて複数並んで配置される複数の第２取付枠７４と、を有し、取付枠体７２材は、第１取付枠７３と複数の第２取付枠７４とが隙間塞ぎ材７１の基端側の部分を挟み込んだ状態で、隙間塞ぎ材７１を固定する。これにより、取付枠体７２が第１取付枠７３と第２取付枠７４との２つの枠を含んで構成されることで、隙間塞ぎ材７１の基端側の部分を挟み込むことができるため、隙間塞ぎ材７１を強固に保持することができる。また、複数の第２取付枠７４は、互いの間隔を調整して取り付けることが可能である。例えば、隙間塞ぎユニット７を設置する現場において、他の部材と干渉する場合に、複数の第２取付枠７４を移動して設置することができるため、第２取付枠７４の配置の自由度が向上して、現場での対応力を向上できる。
【０１０７】
また、本実施形態においては、第１取付枠７３と第２取付枠７４とは、第１取付枠７３及び第２取付枠７４を上下方向に貫通すると共にネジ頭部７４２ｂが下部に配置されるネジ部材７４２ａにより固定され、ネジ部材７４２ａのネジ頭部７４２ｂは、第１取付枠７３と第２取付枠７４とで隙間塞ぎ材７１を固定した状態において、屋根体４の上方側に配置される。そのため、ネジ部材７４２ａのネジ頭部７４２ｂは、第１取付枠７３と複数の第２取付枠７４とで隙間塞ぎ材７１を固定した状態において、屋根体４の上方側に配置される。これにより、ネジ部材７４２ａは、外部に露出せずに、外部から視認されにくく、意匠性を向上できる。
【０１０８】
また、本実施形態においては、支柱２と、支柱２に接続され支柱２側に基端側が配置されると共に基端側から先端側に延びる梁３と、を更に備え、第２取付枠７４は、梁３を避けた位置に配置される。そのため、特に梁３が屋根体４の上部に配置さえる吊構造のテラス１の場合には、第２取付枠７４を、梁３を避けた位置に固定することで、第２取付枠７４により隙間塞ぎ材７１を安全に保持できる。
【０１０９】
また、本実施形態のテラス１の施工方法は、取付枠体７２と隙間塞ぎ材７１とを接続する工程と、接続された取付枠体７２及び隙間塞ぎ材７１を屋根体４の上面に固定する工程と、を含む。これにより、取付枠体７２及び隙間塞ぎ材７１を一体化させて、一体化させた取付枠体７２及び隙間塞ぎ材７１を屋根体４の上面に固定できるため、取り付け作業が容易である。
【０１１０】
以上、本発明のテラス（屋根構造体）の好ましい一実施形態について説明したが、本発明は、上述した実施形態に制限されるものではなく、適宜変更が可能である。
例えば、前記実施形態では、複数の長尺形材４１を、それぞれ、ネジ部材１０１により、梁３に直接固定して接続するように構成したが、これに限定されない。例えば、複数の長尺形材４１を、支持部材などを介して、梁３に接続するように構成してもよい。
【０１１１】
また、前記実施形態では、長尺形材４１を、中空部を有するホロー構造としたが、これに、限定されず、中空部を有さないソリッド材や複数のソリッド材を組み合わせた構造の形材を用いてもよい。また、長尺形材４１にけるホロー構造の中空部の数は限定されない。
【０１１２】
また、前記実施形態においては、クリップ部材５を、複数の長尺形材４１を屋根体４の先端側から基端側に向けて順次固定する場合に、最後に固定する樋構成形材４４に対して用いたが、これに限定されない。ここで、複数の長尺形材を屋根体の基端側から先端側に向けて順次固定する技術が知られている（例えば、特開２０１８−１２３６４７号公報を参照）。クリップ部材５を、複数の長尺形材を屋根体の基端側から先端側に向けて順次固定する場合に、最初に固定する樋構成形材に対して用いてもよい。この場合には、樋構成形材における幅方向において、クリップ部材５により挟み込む側の端部とは反対側の端部において、引っ掛け構造を有することが好ましい（例えば、特開２０１８−１２３６４７号公報［図１２］等を参照）。
【０１１３】
また、前記実施形態においては、屋根構造体を、梁の下部に屋根体が吊られた吊構造で構成したが、隙間塞ぎ材７１を設ける場合には、吊構造に限定されない。梁の上部に屋根体を配置する置き構造の屋根構造体に、隙間塞ぎ部材を設けてもよい。
【符号の説明】
【０１１４】
１  テラス（屋根構造体）
２  支柱（柱材）
３  梁
４  屋根体
１０  躯体
７１  隙間塞ぎ材
７２  取付枠体（接続部材）
７３  第１取付枠（第１部材）
７４  複数の第２取付枠（第２部材）
４２３  引っ掛け片（引っ掛け部）
７４２ａ  ネジ部材
７４２ｂ  ネジ頭部（頭部）
７４３  係止突起（係止部）
【図１】
2020084738.tif 000003
【図２】
2020084738.tif 000004
【図３】
2020084738.tif 000005
【図４】
2020084738.tif 000006
【図５】
2020084738.tif 000007
【図６】
2020084738.tif 000008
【図７】
2020084738.tif 000009
【図８】
2020084738.tif 000010
【図９】
2020084738.tif 000011
【図１０】
2020084738.tif 000012
【図１１】
2020084738.tif 000013
【図１２】
2020084738.tif 000014
【図１３】
2020084738.tif 000015
【図１４】
2020084738.tif 000016
【図１５】
2020084738.tif 000017
【図１６】
2020084738.tif 000018
【図１７】
2020084738.tif 000019